(57)【特許請求の範囲】
【請求項１】
式（II）
【化１】
0003586288.tif 000009
（式中、Ｘは後述する通りである）の化合物を式（III）
【化２】
0003586288.tif 000010
（式中、置換分Ｈａｌはハロゲン原子でありそしてＲは後述する通りである）の置換されたフェニルハロゲン化合物と反応させることからなる式（Ｉ）
【化３】
0003586288.tif 000011
［式中、Ｘは場合によっては保護されていてもよいホルミル基であり、そしてＲはＳＯ2
ＮＨＣＯＮＨＲ3またはＳＯ2−ＮＲ4であり、Ｒ3が水素またはＣ1〜Ｃ6−アルキルであり、そしてＲ4が基＝Ｃ−Ｎ(ＣＨ3)2である］の化合物の製法。
【請求項２】
式（Ｉ）において、置換分が以下の意義を有する請求項１記載の方法。
Ｘは、−ＣＨＯまたは−ＣＨ（ＯＲ1）ＯＲ2であり、
Ｒ1およびＲ2は、互に独立して（Ｃ1〜Ｃ6）−アルキルであるかまたはＲ1およびＲ2は、一緒になってアルキレン基−(ＣＨ2)n−（式中、ｎは、２、３、４または５である）であり、
ＲはＳＯ2ＮＨＣＯＮＨＲ3またはＳＯ2−ＮＲ4であり、Ｒ3が水素またはＣ1〜Ｃ6−ア
ルキルであり、そしてＲ4が基＝Ｃ−Ｎ(ＣＨ3)2である。
【請求項３】
式（III）の化合物に対する式（II）の化合物のカップリングを遷移
金属触媒パラジウムを使用して実施する請求項１記載の方法。
【請求項４】
式（Ｉ）
【化４】
0003586288.tif 000012
の化合物。
上記式において、
Ｘは、−ＣＨＯまたは−ＣＨ（ＯＲ1）ＯＲ2であり、
Ｒ1およびＲ2は、互に独立して（Ｃ1〜Ｃ6）−アルキルであるかまたはＲ1およびＲ2は、一緒になってアルキレン基−(ＣＨ2)n−（式中、ｎは２、３、４または５である）であり、
Ｒは、ＳＯ2ＮＨＣＯＮＨＲ3またはＳＯ2−ＮＲ4（式中、Ｒ3は水素またはＣ1〜Ｃ6−
アルキルであり、そしてＲ4が基＝Ｃ−Ｎ(ＣＨ3)2である）である。
【請求項５】
式（III）
【化５】
0003586288.tif 000013
〔式中、Ｈａｌは臭素または沃素でありそしてＲはＳＯ2ＮＨＣＯＮＨＲ3（式中、Ｒ3は
Ｃ1〜Ｃ6−アルキルである）である］化合物。
【発明の詳細な説明】
【０００１】
本発明は、特定のビフェニル誘導体およびこれらの化合物の製法に関するものである。
例えば心臓血管の疾患に対する医薬のような活性物質の製造において、ビフェニル誘導体は、製造方法における重要な中間体であることが判明している。例えば、ＥＰ−Ａ  ５０３１６２には、活性物質として特定の置換されたビフェニル系を有するアンジオテンシンＩＩ受容体拮抗薬型の化合物を含有する血圧低下製剤の製造方法が記載されている。
【０００２】
置換されたビフェニル誘導体の種々な製造方法が、すでに記載されている。例えば、遷移金属、例えばパラジウムを使用して、フェニルボロン酸誘導体をハロゲン化アリールと結合させることができる。相当する反応は、Ｒ．Ｂ．  Ｍｉｌｌｅｒ等によってＯｒｇａｎｏｍｅｔａｌｌｉｃｓ  １９８４，３，１２６１にまたはＡ．  Ｚｕｚｕｋｉ等によってＳｙｎｔｈｅｔｉｃ  Ｃｏｍｍｕｎ．  １１（７），５１３（１９８１）に記載されている。
【０００３】
本発明は、式（Ｉ）
【化８】
0003586288.tif 000002
のビフェニル誘導体の製造方法に関するものである。
【０００４】
上記式において、
Ｘは、場合によっては保護されていてもよいホルミル基、特に−ＣＨＯまたは−ＣＨ（ＯＲ１）ＯＲ２であり、
Ｒ１およびＲ２は、互に独立して（Ｃ１〜Ｃ６）−アルキルであるかまたはＲ１およびＲ２は、一緒になってアルキレン基−（ＣＨ２）ｎ−（式中、ｎは２、３、４または５である）であり、そして
Ｒは、合成の反応条件に対してそれ自体不活性である基である。
【０００５】
本発明による方法においては、既知の場合によっては保護されていてもよいホルミルベンゼンハライド、例えばブロマイドまたはアイオダイドから出発して、グリニヤール反応（例えば、Ｈ．  Ｆｅｕｌｎｅｒ等；  Ｃｈｅｍｉｓｃｈｅ  Ｂｅｒｉｃｈｔｅ  １２３（１９９０），  １８４１〜１８４３参照）によって、式（ＩＩ）
【化９】
0003586288.tif 000003
（式（ＩＩ）における基ＸはＣＨＯ基または適当に保護されたホルミル基、例えばアセタールである）のボロン酸誘導体を製造する。それから、式（ＩＩ）の化合物を、既知方法により得ることのできる式（ＩＩＩ）
【化１０】
0003586288.tif 000004
の置換されたフェニルハロゲン化合物とカップリングさせることにより変換して、式（Ｉ）のビフェニル化合物を得ることができる。式（ＩＩＩ）の化合物の適当なハロゲン基（Ｈａｌ）は、好ましくはブロマイドおよびアイオダイド、特に好ましくはブロマイドでありそしてＲは上述した通りである。
【０００６】
式（ＩＩ）のボロン酸誘導体の代りに、それぞれのボロン酸のエステルを本発明の方法に使用することができる。これらの化合物は、例えばそれぞれのブロモメチルベンゼンボロン酸誘導体から製造することができる。
相当するビフェニル化合物を与えるための式（ＩＩ）および（ＩＩＩ）の２種のフェニル誘導体の結合は、触媒、好ましくはパラジウム触媒を使用して実施することができる。反応条件は、出発物質の反応性によって変化することができそして好ましくは約２０℃〜１５０℃の温度範囲および１バール〜５バールの圧力が使用される。適当な溶剤は、例えばベンゼンまたはトルエンとアルコール、特にエタノールとの混合物である。
式（Ｉ）の化合物における適当な置換分Ｒは、２種のフェニル環の結合に対して使用される反応条件下でそれ自体変性されないすべての基である。次の基が、特に置換分Ｒとして適している。
【０００７】
Ｒは、−Ｆ、−Ｃｌ、−ＮＯ２、−（ＣＨ２）ｍ−ＣＯＯＲ３、−（ＣＨ２）ｍ−ＣＯＮＨＲ３、−（ＣＨ２）ｍ−ＣＮ、−ＳＯ２ＮＨ−ＣＯＯＲ３、−ＳＯ２ＮＨ−ＣＯ−ＮＨＲ３、−ＳＯ２ＮＨ−ＳＯ２−Ｒ３、−ＮＨＳＯ２Ｒ３、
【化１１】
0003586288.tif 000005
−ＰＯ３Ｒ３、−ＮＨ−ＳＯ２−ＣＦ３または−ＳＯ２ＮＲ４（式中、Ｒ３は水素、（Ｃ１〜Ｃ６）−アルキル、（Ｃ３〜Ｃ６）−シクロアルキルまたは（Ｃ１〜Ｃ６）−アルキル−（Ｃ３〜Ｃ６）−シクロアルキルでありそしてＲ４は基＝Ｃ−Ｎ（ＣＨ３）２でありそしてｍは０、１、２、３または４である）である。
【０００８】
ボロン酸誘導体を経て２種のフェニル系を結合させる代りに、式（Ｉ）のビフェニル誘導体の製造はまた、亜鉛ハライドフェニル誘導体、メチル錫フェニル誘導体またはグリニヤール化合物を使用して実施することもできる。
保護されたホルミル基およびグリニヤール試薬は、慣用の方法により製造される。
【０００９】
本発明は、また式（Ｉ）の化合物それ自体、および式（ＩＩＩ）の化合物それ自体に関するものである。ＲがＳＯ２ＮＨＣＯＯＲ３、ＳＯ２ＮＨＣＯＮＨＲ３、ＳＯ２ＮＨＳＯ２Ｒ３またはＳＯ２ＮＲ４である式（Ｉ）の化合物が好ましく、ＲがＳＯ２ＮＨＣＯＮＨＲ３およびＳＯ２ＮＲ４である式（Ｉ）の化合物が特に好ましい。また、ＲがＳＯ２ＮＨＣＯＯＲ３、ＳＯ２ＮＨＣＯＮＨＲ３またはＳＯ２ＮＨＳＯ２Ｒ３である式（ＩＩＩ）の化合物が好ましく、ＲがＳＯ２ＮＨＣＯＮＨＲ３である式（ＩＩＩ）の化合物が特に好ましい。
本発明を、以下の実施例によってさらに詳細に説明する。
【００１０】
実施例１
４−ホルミル−２′−Ｎ，Ｎ−ジメチルアミノホルミルビフェニルスルホンアミドの製法
【化１２】
0003586288.tif 000006
１ａ）  ４−ブロモベンズアルデヒドジエチルアセタール
溶融した４−ブロモベンズアルデヒド１００ｇ（０．５４モル）およびトリエチルオルトホルメート９０ｍｌ（０．５４モル）を、無水のエタノール６５ｍｌ（１．１モル）中の硝酸アンモニウム２．７ｇに加える。室温で１８時間後に、固体を濾去しそして濾液を、ピペリジンを使用してアルカリ性（〜ｐＨ１０）にする。標記化合物を、真空蒸留により得る。
収率：９０％
沸点：（０．０５ｍｍＨｇ）＝１１０〜１１５℃
【００１１】
１ｂ）  ４−ホルミルベンゼンボロン酸
アルゴンの雰囲気下において、マグネシウム片３．６５ｇを無水のＴＨＦ１５ｍｌでおおいそして１，２−ジブロモエタン０．５ｍｌで処理する。おだやかな加温は、はげしい反応を起こす。反応がしずまった後に、溶剤をピペットで除去し、無水のＴＨＦ４０ｍｌで処理しそして無水のＴＨＦ３０ｍｌ中の生成物（ａ）３２ｇの溶液の１／３を加える。反応をＲｅｄ−Ａｌでそして加温により開始する。それから、１ａ）からの生成物の残りを、３５分以内に滴加する。滴下添加の完了後に、混合物を還流下でさらに１時間沸騰させる。それから、グリニヤール生成物を、アルゴンの雰囲気下で、ＴＨＦ５０ｍｌ中の硼酸トリブチル３３．５ｍｌの−６８℃に冷却した溶液に滴加する。３０分後に、冷却を除去する。それから混合物を、室温で１時間撹拌する。それから、それを濃縮し、はちみつ色に着色した油をエーテル１００ｍｌにとりそして氷冷したＨ２ＳＯ４（１Ｍ）８０ｍｌを加える。エーテル相を分離しそしてエーテル５０ｍｌで２回以上抽出し、濃縮しそして３０％強度（６Ｎ）のＫＯＨを、アルカリ性反応（ｐＨ１４）が起るまで加える。Ｈ２Ｏ  ７０ｍｌを加えそしてブタノールを高真空中で３５〜４０℃で共沸的に除去する。この方法を、Ｈ２Ｏ  ５０ｍｌを使用して再び反復する。残留物を、１Ｍ  Ｈ２ＳＯ４で酸性（ｐＨ１）にしそして３０分沸騰させる。濾過によって、標記化合物を淡黄色の固体として得る。融点２５５〜２６０℃。
【００１２】
１ｃ）  ４−ホルミル−２′−Ｎ，Ｎ−ジメチルアミノホルミルビフェニルスルホンアミド
Ｈ２Ｏ  ３０ｍｌ中の炭酸ナトリウム５．７ｇ（２当量）を、トルエン１００ｍｌ中の２−ブロモ−Ｎ，Ｎ−ジメチルアミノホルミルベンゼンスルホンアミド７ｇ（０．０２４モル）およびトリフェニルホスフィン０．７ｇ（０．１当量）に加温添加する。混合物を、アルゴンを使用してよくフラッシュしそして酢酸パラジウム０．３ｇ（０．０５当量）をアルゴン向流中で６０℃で加える。１０分後に、エタノール７０ｍｌ中の１ｂ）からの化合物４ｇ（１．１当量）を、アルゴン向流中で非常に暗褐色の反応溶液に加える。それから、混合物を沸点に加熱しそして還流下で３１／２時間沸騰させる。冷後、溶剤を真空中で除去する。残留物を、酢酸エチル１５０ｍｌにとりそして飽和炭酸ナトリウム溶液で洗浄（５×）する。有機相を硫酸マグネシウムを使用して乾燥しそしてセライトの層を通して濾過する。溶剤を真空中で除去した後、褐色の部分的に結晶性の粗製物質として標記化合物８ｇを得た。このものは、酢酸エチル約３０ｍｌ中で沸騰させることにより精製することができる。
収率：８３％
Ｒｆ＝０．４（Ｅ／Ｈ  ２／１）；ＭＳ（Ｍ＋１）＝３１７
融点：１６１℃。
同様にして、適当な出発物質から出発して、実施例２〜６の化合物を製造した。これらの化合物は、構造および物理的データと一緒に、表１に示す。
【００１３】
【表１】
0003586288.tif 000007
次の実施例７および８は式（ＩＩＩ）の中間体化合物の製造を記載したものである。
【００１４】
実施例７
２−ブロモベンゼン−ｎ−プロピルスルホン尿素の製造
２−ブロモベンゼンスルホンアミド３．５ｇ（１５ミリモル）およびＫ２ＣＯ３  ４．１ｇをジメトキシプロパン中で１時間還流下に加熱した。さらに１２時間の後、溶液を０℃に冷却し５％ＮａＨＳＯ４を用いてｐＨを５〜６に調節した。そしてこの混合物を二度酢酸エチルで抽出した。合体した有機の抽出物をＭｇＳＯ４上で乾燥させ、溶媒を除去した。酢酸エチルからの結晶化により標題化合物が提供された。
Ｒｆ＝０．５（Ｅ／Ｈ  ２／１）；ＭＳ（Ｍ＋１）＝３２１
【００１５】
実施例８
２−ヨードベンゼン−ｎ−プロピルスルホニル尿素の製造方法
８ａ）  ２−ヨードベンゼンスルホンアミド
濃（９８％）Ｈ２ＳＯ４  ２５ｍｌ中の２−アミノベンゼンスルホンアミド（３．５ｇ）を６０℃で加熱して澄明な溶液とした。次いで氷２０ｇを加え、溶液を０℃に冷却した。水４ｍｌ中のＮａＮＯ２  １．４５ｇを、５〜６℃を越えることがないように非常に注意深く滴加した。反応混合物を５〜６℃で３時間撹拌した。次いで水２５ｍｌ中のヨウ化カリウム３．７５ｇの溶液を滴下して導入し、得られた赤色の混合物を１８時間撹拌した。水５０ｍｌを加え、得られた沈殿を濾過し、水で数回洗浄した。得られた固体を酢酸エチルに溶解し、０．２Ｎのチオ硫酸ナトリウム溶液で一度、そして水で二度洗浄し、乾固するまで揮発物を蒸発させ淡黄色の化合物４ｇ（収率６２％）を得た。
ｍ．ｐ．＝１９７〜１９８℃；ＩＲ（ヌジョール）：３３６０、３２５５、１５６２ｃｍ−１；ＭＳ（Ｍ＋）：２８３
【００１６】
８ｂ）  ２−ヨードベンゼン−ｎ−プロピルスルホニル尿素
アセトン４０ｍｌ中の２−ヨードベンゼンスルホンアミド４ｇの撹拌溶液に一度に固形のＫ２ＣＯ３  ３．９２ｇを加え、混合物をＮ２雰囲気下に還流加熱し、この加熱混合物にｎ−プロピルソシアネートを滴加した。２時間の還流後、反応混合物を室温に冷却し、濃縮乾燥した。水２００ｍｌを加え、冷却した混合物を２ＮのＨＣｌで酸性化してｐＨ４とし濾過した。得られた沈殿をアセトン／イソプロピルエーテル混合物で再結晶して標題化合物の固形物４．１ｇを得た。
ｍ．ｐ．＝２１１〜２１２℃；ＩＲ（ヌジョール）：３３６８、１７１５、１５６５、１５３９ｃｍ−１；ＭＳ（Ｍ＋）：３６８
次の表２に実施例１、２、３、５、８ａおよび８ｂの標題化合物似ついての１Ｈ−ＮＭＲデータを総括して示すことにする。
【００１７】
【表２】
0003586288.tif 000008
【００１８】
省略記号：
Ｅ＝酢酸エチル
Ｈ＝ｎ−ヘプタン
Ｒｅｄ−Ａｌ＝ナトリウムジヒドリドビス−（２−メトキシエトキシ）アルミネート
ＴＨＦ＝テトラヒドロフラン
トリチル＝トリフェニルメチル